(57)【要約】【課題】  Ｖ型の電気音響変換装置２０を耳の耳甲介腔４内で係止可能なユニット部を得るようにする。【解決手段】  垂直内挿型（Ｖ型）の電気音響変換装置３０の電気音響変換器の放音面３３の後方に膨出されたドーム状のケーシング３２に配設した第１及び第２の突出部３６，３７を耳甲介腔４の凹部に係止させる様に装着させて電気音響変換装置３０の耳１からの脱落を防止する。  【選択図】        図１ 
2005073144.tif 000002
【特許請求の範囲】
【請求項１】
内部に電気音響変換器を有するケーシングの該電気音響変換器の放音面を前方向に向け、装着するようにした垂直内挿型の電気音響変換装置に於いて、
上記電気音響変換器の上記放音面の後方に膨出されたドーム状の内挿部の該放音面を前方から視た下方左側又は右側に該放音面方向に突出して設けられた第１の突出部と、該内挿部を上方から視た左側又は右側に該内挿部の後方向に突出して設けられた第２の突出部と
を設けた上記ケーシングから成ることを特徴とする電気音響変換装置。
【請求項２】
前記内挿部からなる前記ケーシングの前記放音面と略平行する様に該ケーシングから下方向に垂下するコード導出部を設けて成ることを特徴とする請求項１記載の電気音響変換装置。
【請求項３】
前記ケーシングのコード導出部を前記放音面の下方左側又は右側に垂下させるように成したことを特徴とする請求項１記載の電気音響変換装置。
【請求項４】
前記内挿部を耳の耳甲介腔内に挿入させ、前記第１及び第２の突出部を該耳甲介腔の耳珠及び対珠内の凹部に装着させて成ることを特徴とする請求項１乃至請求項３記載のいずれか１項記載の電気音響変換装置。
【請求項５】
前記コード導出部を耳の耳珠及び対珠間に装着させて成ることを特徴とする請求項２乃至請求項４記載のいずれか１項記載の電気音響変換装置。
【請求項６】
前記電気音響変換装置をインナーイヤ型と成したことを特徴とする請求項１乃至請求項５記載のいずれか１項記載の電気音響変換装置。
【請求項７】
前記電気音響変換装置をネックバンド型と成したことを特徴とする請求項１乃至請求項５記載のいずれか１項記載の電気音響変換装置。
【請求項８】
前記電気音響変換装置をクリップ型と成したことを特徴とする請求項１乃至請求項５記載のいずれか１項記載の電気音響変換装置。
【請求項９】
前記電気音響変換装置をオーバーヘッド型と成したことを特徴とする請求項１乃至請求項５記載のいずれか１項記載の電気音響変換装置。
【発明の詳細な説明】
【技術分野】
【０００１】
本発明は、電気音響変換装置に係り、特に垂直内挿型の電気音響変換装置（バーチカル型、以下Ｖ型と記す）の構成の改良に関する。
【背景技術】
【０００２】
従来の、電気音響変換装置には種々の形式のイヤホンやヘッドホンが提案されている、耳介挿入型イヤホンは、振動板を含む電気音響変換器を内蔵したイヤホン本体の一端面に音道を形成した耳介挿入部を設け、この耳介挿入部を耳の耳甲介腔に連続するさらに内方の外耳道にまで挿入するようにして装着するように構成されていた。したがって、この様な耳介挿入型イヤホンは、耳甲介腔への装着時の圧迫感を免れ得ず、又、外耳道への押し込み量によっては外耳道に痛みや違和感を生じると共に良好な音質も保持され難いといった課題があった。
【０００３】
上述の耳介挿入型イヤホン装着時の痛み或いは違和感等の発生を防止し、安定した状態で装着されると共に再生音質等の音響特性を良好に保持させる構成が特許文献１に開示されている。この電気音響変換装置１０Ａは、図１１に示す様に、振動板、磁気回路部等からなる電気音響変換器が内蔵され、耳の凹部である耳甲介腔内に収納し得る形状とされた略ボタン型のユニットケーシング本体部（以下ユニット部と記す）１１と、このユニット部１１の背面側の下端部から延設されて電気音響変換器からの電気信号を外部接続用コード１３に導出するコード導出部１２とから構成されている。  
【０００４】
上述の耳介挿入型イヤホンが装着される人の耳１の構成については、上記特許文献１においても詳述されているが、図１３を参照してこれを再述すると、下方部分に耳朶３と連続する耳輪１ａ内に形成された凹状の耳甲介腔４の底部には外耳孔５が開口している。この耳甲介腔４の開口部の前後位置には、それぞれ耳珠６と対珠７とが相対向して突出していることによって、耳甲介腔４は内方において幅広となっている。又、耳甲介腔４の上部前方向には凸状の耳輪脚９が延設され、この耳輪脚９の上部に耳甲介２を介して耳甲介舟２ａと耳甲介腔４とが仕切られている。
【０００５】
耳珠６と対珠７との間には、下方部に向かって切れ込むとともに内方部分が湾曲した立ち上がり面として構成される珠間切痕８が連続している。耳甲介腔４の内径Ｒは、人によってバラツキがあり、約１０ｍｍ〜２０ｍｍ程度の範囲にあり、耳珠６と対珠７との対向間隔Ｌは、約４ｍｍ〜１２ｍｍ程度の範囲にあり、また耳珠４の先端付近における耳甲介腔４の深さは約７ｍｍ〜１４ｍｍ程度の範囲にある。
【０００６】
上述した電気音響変換装置１０Ａにおいては、耳甲介腔４の凹部に収納し得る形状に構成されるユニット部１１は外径寸法を１４ｍｍ〜１８ｍｍ、厚み寸法を５．５ｍｍ〜７．５ｍｍに形成している。したがって、この電気音響変換装置１０Ａを図１２（ａ）、（ｂ）に示すように、耳甲介腔４の凹部に装着した状態においては、ユニット部１１の外周部の少なくとも２点Ａ、Ｂにおいて耳珠６と対珠７とにより保持される。尚、図１２（ｂ）は図１２（ａ）のＡ−Ａ断面矢視図である。
【０００７】
又、コード導出部１２は、ユニット部１１を耳甲介腔４の凹部に収納した状態において、耳珠６と対珠７との保持点Ａ、Ｂより下方部に位置した１点Ｃで必要に応じて当接されるように構成されているので電気音響変換装置１０Ａにおいては、３点支持可能な構造によって耳甲介腔４に装着されることによって、外耳孔５を圧迫すること無く安定かつ確実な状態で耳甲介腔４の一部に装着される。
【０００８】
耳甲介腔４に対する装着性の向上を図った電気音響変換装置１０Ａでは、耳１に装着された状態において珠間切痕８に延在するコード導出部１２は、ユニット部１１の中心位置から突出形成されている。一方、上述したように、耳珠６と対珠７とは、その対向間隔Ｌが約４ｍｍ〜１２ｍｍ程度の範囲にあるが、それらの突出量Ｍ、Ｎの個人差も大きく、耳珠６の突出量Ｍと対珠７の突出量Ｎとは、図１３に示すが、一般にＭ＞Ｎにある。従って、この電気音響変換装置１０Ａを耳甲介腔４に装着した状態に於いては、コード導出部１２が耳珠６に当たり気味となって不快感を生じさせることもあった。
【０００９】
このようなコード導出部１２の耳珠６への当たりを解消するため、図１１の様にユニット部１１の中心線Ｌ１に対してコード導出部１２の中心線Ｌ２を外周部側に距離Ｄ分ずらしてユニット部１１の背面側にコード導出部１２を突出形成させた電気音響変換装置１０Ａを、耳甲介腔４に装着することによって、コード導出部１２が幾分対珠７側へ寄るため、コード導出部１２の耳珠６への当たりを解消させている。然し、この様に電気音響変換装置１０Ａにおいても、耳珠６と対珠７の突出量の個人差を吸収してコード導出部１２の耳珠６への当たりを確実に解消することは困難であった。
【００１０】
上述の耳当たり状態及び装着状態を調整して音質特性を調整するため、従来では、耳甲介腔４の内部へ装着したユニット部１１を適宜回動していた。しかしながら、かかる方法ではユニット部１１の外周部が耳甲介腔４にこすれて痛みを感じ、緩く装着した場合には装着状態が充分保持されないといった課題があつた。
【００１１】
したがって、この様な、耳珠６及び対珠７の突出量の個人差、或いは耳甲介腔４の深さの個人差を吸収して最適な状態での装着を可能とし、かつ装着状態によって音響特性の調整も可能とした電気音響変換装置を得るための構成が特許文献２提案されている。
【００１２】
上述の特許文献２に開示された構成は、図１２（ａ）に示す様に電気音響変換器が内蔵されるとともに耳１の耳珠６と対珠７との間に位置する耳甲介腔４の凹部に装着し得る形状に構成され、耳甲介腔４に装着した状態において、外周部が耳珠６と対珠７の先端の２点Ａ，Ｂに当接することによって保持されるユニット部１１と、このユニット部１１の背面部に設けられ、ユニット部１１を耳甲介腔４に装着した状態において、耳１の珠間切痕８に延在して内側面の一部が耳朶３の表面と当接するコード導出部１２とを備え、このコード導出部１２とユニット部１１とを、相対的に回転部１４で回動自在にすると共にユニット部１１の外周部に、耳甲介腔４の凹部に収納した状態において、耳１の対珠７側に位置する部分を外側へと膨出させる膨出部１５を形成することで、コード導出部１２と耳珠６或いは対珠７との当たり具合が調節される。従って、耳珠６及び対珠７の突出量の個人差によるバラツキが吸収され、ユニット部１１の外周部が耳甲介腔４にこすりながら調動されることは無く、コード導出部１２と耳珠６或いは対珠７との当たり具合が最適な状態に調節される。  
【００１３】
又、ユニット部１１を耳甲介腔４の凹部に収納した状態で、コード導出部１２が延在する珠間切痕８と略直角位置の対珠７側に対応位置するユニット部１１の外周部に膨出形成された膨出部１５は、耳甲介腔４内における円周方向の位置を適宜設定することによって、耳甲介腔４の深さの個人差によるバラツキを吸収し、電気音響変換装置１０Ａを極めて安定した状態で耳甲介腔４の凹部に装着されるようにすることが出来る。
【００１４】
一方、上述の如き、ユニット部１１を耳甲介腔４の凹部に収納する様に成された電気音響変換装置１０Ａに対して、図１４（ａ），（ｂ）に示す様なＶ型の電気音響変換装置２０も知られている。このＶ型の電気音響変換装置２０はユニットケーシング本体（ユ
ニット部）２１内に振動板を含む電気音響変換器を内蔵したケーシング２２と、振動版からの放音を放出する透孔を穿った放音面２３とで構成されている。ケーシング２２は略円盤状の放音面２３の後方にドーム状に膨出された形状となされ、図１４（ａ）の様にユニット部２１の放音面２３を人の顔面と同一方向（Ｆ方向）側に向けて耳１の耳甲介腔４に矢印Ｅの様に装着すると、図１４（ｂ）の様に放音面２３からの放音は従来の図１２（ｂ）で示す電気音響変換装置１０Ａに比べてダイレクトに外耳孔５を介して鼓膜に到達する利点がある。
【００１５】
図１５（ａ）、（ｂ）は従来のＶ型の電気音響変換装置２０をネックバンド型に構成した１形態例を示すものであり、ユニット部２１内に振動板を含む電気音響変換器を内蔵したケーシング２２と、振動版からの放音を放出する透孔を穿った放音面２３とで構成されている。ケーシング２２は略円盤状の放音面２３の後方にドーム状に膨出された形状となされ、図１５（ａ）の様に左右のユニット２１のケーシング２２の放音面２３のＸ軸と略直交（ｚ軸）する様にバンド及びコード導出部２５を１体に形成する、このバンド及びコード導出部２５は図１５（ａ）に示す様に左右方向に膨出され、略Ｊ字状（左側のバンド及びコード導出部２５と右側のバンド及びコード導出部２５は鏡像関係にある）となされ、略Ω状に構成させたネックバンド２６と連通すると共に左側のバンド及びコード導出部２５の前面側からプラグ２７が接続されたコード２８が導出されている。
【００１６】
視聴者６０のネック６１にネックバンド２６を掛けユニット部２１の放音面２３を視聴者６０の顔面と同一方向（Ｆ方向）に向けて耳１の耳甲介腔４内に矢印Ｅの様に装着するように成されている。
【特許文献１】特公昭６３−４２９９９号公報（図４及び図８）
【特許文献２】特開平７−１５４８８８号公報（第４頁左欄）
【発明の開示】
【発明が解決しようとする課題】
【００１７】
上述の従来構成の図１５（ａ）（ｂ）で示すネック型のＶ型電気音響変換装置６２に依れば、図１１で説明した電気音響変換装置１０Ａに比べて図１４（ｂ）に示す様にユニット部２１が外耳孔５に対し水平に耳甲介腔４内に挿入さるため、通常のインナイヤーヘットホンよりも振動板が鼓膜に対し水平となり、音をダイレクトに鼓膜に到達させることができる。然し図１５（ａ）（ｂ）に示す従来のＶ型の電気音響変換装置２０ではケーシング２１は耳の耳甲介腔４内のどの部位でも支持されずに、外耳孔５に乗せる状態となっている。このためコード３８の引っ張りや激しい運動で耳甲介腔４から容易に落下してしまう課題を有していた。
【００１８】
本発明は、上述の課題を解消しようとするものであり、Ｖ型の電気音響変換装置２０を耳の耳甲介腔４内で係止可能なユニット部を得ることを目的とする。
【課題を解決するための手段】
【００１９】
上記課題を解決し、本発明の目的を達成するため、第１の本発明は、垂直内挿型の電気音響変換装置の電気音響変換器の放音面の後方に膨出されたドーム状のケーシングに配設した凸部を耳甲介腔４の内部の凹部に係止させる様に装着させて成ることを特徴とする。
【００２０】
第２の本発明の電気音響変換装置は、内部に電気音響変換器を有するケーシングの電気音響変換器の放音面を前方向に向けて装着するようにした垂直内挿型の電気音響変換装置に於いて、電気音響変換器の放音面の後方に膨出されたドーム状の内挿部の放音面を前方から視た下方左側又は右側が放音面方向に突出して設けられた第１の突出部と、内挿部を上方から視た左側又は右側に内挿部の後方向に突出して設けられた第２の突出部とを設けたケーシングから成ることを特徴とする。  
【発明の効果】
【００２１】
本発明の第１の発明によると、電気音響変換装置をドーム状のケーシングに配設した凸部を耳甲介腔内の凹部に係止させる様に装着させることが出来る。
【００２２】
本発明の第２の発明によると、電気音響変換装置のケーシングを電気音響変換器の放音面の後方に膨出されたドーム状の内挿部の放音面を前方から見た下方左側又は右側が放音面方向に突出して設けられた第１の突出部と、内挿部を上方から見た左側又は右側に内挿部の後方向に突出して設けられた第２の突出部とを設けたケーシングとしたので、ユニット部を耳甲介腔内に装着した状態で例えば、左側の耳で考えた場合にケーシングを反時計方向に回転させた時には第１の突出部は耳珠に引っかかり、ケーシングを時計方向に回転させた時には第２の突出部は耳珠及び対珠の奥の外耳孔の内壁に引っかかり電気音響変換装置の逸脱を防止可能となる。
【発明を実施するための最良の形態】
【００２３】
以下、本発明の電気音響変換装置の１形態例を図１乃至図１０によって詳記する。図１（ａ）（ｂ）（ｃ）は本発明の電気音響変換装置の１形態例の略線図を示すもので図１（ａ）は正面図、図１（ｂ）は左側面図、図１（ｃ）は平面図であり、例えば携帯型テープレコーダ等に接続され、図１３で詳記した耳１の凹部である耳甲介腔４に図１５で詳記した様に嵌合して装着されるＶ型の電気音響変換装置３０であって、このＶ型の電気音響変換装置３０は、電気音響変換器を内蔵し、略円盤状の放音面３３の後方にケーシング３２を構成する内挿部は背面方向に略ドーム状に膨出され、コード導出部３４が放音面３２のＸ軸の右又は左側から下方向に垂下する様に一体に形成されてユニットケーシング本体部（ユニット部）３１を構成する、このコード導出部３４を介してユニット部３１外に導出されるコード３５の先端に接続したプラグとで構成される。  
【００２４】
上述の内挿部、即ちケーシング３２は図１（ａ）及び図１（ｂ）の平面図及び左側面図の様に放音面３３の下方左側又は右側に放音面３３方向に突出して設けられた第１の突出部３６と、図１（ｃ）の平面図の様に、ケーシング３２を上方から視た左側又は右側に、このケーシング３２の左(右)にやや傾いた後方向に突出して設けられた第２の突出部３７が形成されている。又、放音面３３を正面から視た図１（ａ）のＸ軸上の右又は左側に放音面３３と平行に下方向に垂下するコード導出部３４をケーシング３２と一体に形成してユニット部３１を構成している。
【００２５】
次に、図２（ａ）（ｂ）及び図３（ａ）（ｂ）に依って、図１２（ａ）（ｂ）と同様に耳１の耳甲介腔４内にＶ型の電気音響変換装置３０を装着させる状態を説明する。図２（ａ）（ｂ）は耳１の耳甲介腔４内にＶ型の電気音響変換装置３０を装着する状態を示す一部の耳の断面図であり、図３（ａ）はＶ型の電気音響変換装置３０を耳甲介腔４内に装着させた場合の視聴者の左耳を示し、図３（ｂ）は図３（ａ）のＧ−Ｇ線に沿う耳の断面図を示すものである。
【００２６】
図２（ａ）（ｂ）に於いて、Ｖ型の電気音響変換装置３０を耳１の耳甲介腔４内に挿入するには図２（ｂ）に示す様にＶ型の電気音響変換装置３０の放音面３３を耳１の耳珠６の内側に向けて、矢印Ｅで示す様にケーシング３２に設けられた第１の突出部３６及び第２の突出部３７をケーシング３２と共に耳甲介腔４内に挿入させる。図３（ａ）はＶ型の電気音響変換装置３０が耳甲介腔４内に挿入された状態の左耳の正面図であり、同図に於いて、Ｇ−Ｇ矢示方向の図１２（ｂ）と同様の耳の断面内に挿入した状態の模式図を図３（ｂ）に示す。同図から明らかなように、耳甲介腔４内に挿入された、Ｖ型の電気音響変換装置３０の放音面３３は図１２（ｂ）に比べれば外耳孔５の開口部方向に向いていることが解かる。即ち、ケーシング３２は耳甲介腔４内に装着され、コード導出部３４は対珠７と耳珠６間に挟着させる様に成すことで、内挿部を構成するケーシング３２の耳甲介腔４内への挿入により、第１及び第２の突出部３６及び３７を外耳孔５の入口及び耳甲介２或いは耳甲介腔４の耳珠６及び対珠７内の凹部に係止させることができ、Ｖ型の電気音響変換装置３０を耳甲介腔４内に脱落することなく装着させることが出来る。
【実施例１】
【００２７】
上述のＶ型の電気音響変換装置３０の１実施例を示すＶ型の電気音響変換装置３０の外形を図４乃至図８について説明する。図４（ａ）は正面図、図４（ｂ）は左側面図、図５（ｃ）は右側面図、図５（ｄ）は背面図、図６（ｅ）は平面図、図６（ｆ）は底面図、図７（ｇ）は左上側４５度方向正面図、図７（ｈ）は右上側４５度方向正面図、図８（ｉ）は左下側４５度方向背面図、図８（ｊ）は右下側４５度方向背面図を示すものであり、これらの各図面に於いて、内部に電気音響変換器が配設された略円形状に形成された放音面３３には複数の透孔が穿たれ、電気音響変換器からの音響信号が放音される。この放音面３３のＸＹＺ軸から成るＺ軸方向に内挿部を構成するケーシング３２が略ドーム状に膨出されている。放音面３３のＸ軸の左(右)側の第３象限には図４（ａ）（ｂ）の様に前面側（Ｚ軸）に突出し、この第３象限内の円弧に沿って下端が図４（ｂ）、図７（ｇ）に示す様に半円のスカート状部４０で後方のＺ軸方向にケーシング３２の後部で後述する第２の突出部３７と一体化された第１の突出部３６を形成する。
【００２８】
放音面３３のＸ軸の右(左)側の第２及び第４象限には図４（ａ）（ｂ）、図５（ｃ）の様に前面側（Ｚ軸）に突出し、この第１及び第４象限の範囲内の円弧に沿って前方向（Ｚ軸方向）に図４（ａ）及び図７（ｇ）に示す様に左(右)方向に湾曲し、後方向（Ｚ軸方向）に膨出し、ケーシング３２の後部で第２の突出部３７と一体化されたスプーン状部４１は略円柱又は角柱状に成されたコード導出部３４と連通され、更に、図６（ｅ）、図７（ｇ）、図８（ｉ）に示す様に内挿部のケーシング３２を図６（ｅ）の様に上方から視た左側又は右側にケーシング３２の左（右）後方向に突出して設けられた第２の突出部３７が形成され、この第２の突出部３７の山頂部は図５（ｄ）の背面図に示す様になだらかな山形に成され裾部４２は上記した、スカート状部４０と連通している。コード導出部３４からは電気音響変換器に接続されたコード３５が導出されている。
【００２９】
更に、図４（ａ）の右側面図である図５（ｃ）や図６（ｅ）、図７（ｇ）（ｈ）、図８（ｉ）（ｊ）の様に放音面３３に対して略後方にドーム状に膨出部４３が形成されている。この膨出部４３と第２の突起部３７間は図５（ｄ）、図８（ｊ）に示す様にお凹部44と成され、上面及び下面となだらかに連通されたケーシング３２と成されユニット部３１を構成している。
【００３０】
上述の電気音響変換装置３０を図９（ａ）で示す耳１内に挿着させた場合のＨ−Ｈ断面矢視図を図９（ｂ）（ｃ）に示す。図９（ａ）（ｂ）は耳１内の各部位の更に詳細の名称を示すものであり、図３（ａ）（ｂ）で説明した対応部分には同一符号を付して、重複説明を省略する。
【００３１】
図９（ａ）に示す耳輪１ａ内に設けられた対輪１ｂ、対珠７、珠間切痕８、耳珠６、耳輪脚９、耳甲介２で囲まれる、耳甲介腔４内に図２（ａ）（ｂ）の様にＶ型の電気音響変換装置３０が挿入される。図９（ｂ）に示す耳甲介腔４内の断面図では図６（ｅ）で示す平面図のＶ型の電気音響変換装置３０のユニット部３１は図９（ｃ）に示す様に第１の突出部３６は外耳道４５の外耳孔５の入り口近傍に配設され、この第１の突起部３６は図９（ｃ）の様にＶ型の電気音響変換装置３０のケーシング３２の中心点Ｏを中心に矢印Ｋで示す反時計方向に負荷が掛かる場合には耳珠６へ引っかかりＶ型の電気音響変換装置３０の脱落を防止する。  
【００３２】
更に、第２の突出部３７は、耳甲介腔４内の奥、又は耳甲介２に配設され、この第２の突起部３７は図９（ｃ）の様にＶ型の電気音響変換装置３０のケーシング３２の中心点Ｏを中心に矢印Ｐで示す時計方向に負荷が掛かる場合には対珠７へ引っかかりＶ型の電気音響変換装置３０の脱落を防止する。又、第２の突出部３７は図９（ｃ）でケーシング３２の中心点Ｏを中心に矢印Ｋで示す反時計方向に負荷が掛かる場合には耳甲介腔２の奥の内壁部４８へ引っかかりＶ型の電気音響変換装置３０の脱落を防止する。
【００３３】
上述の構成に依れば、Ｖ型の電気音響変換装置３０であっても耳甲介腔２内の回転、コードの引っ張り、激しい運動、耳の傾きによるユニット部３１の脱落を防止可能となる。
【００３４】
上述のＶ型の電気音響変換装置３０のユニット部３１のケーシング３２は耳１の耳甲介腔４の３次元的形状に近いかなり複雑な形状として説明したが、必ずしもこのような形状にする必要ではなく、電気音響変換器の放音面３３の後方に膨出されたドーム状のユニット部３１のケーシング３２を放音面３３の前方から視た下方左側又は右側を放音面方向に突出して設けた外耳孔５の入り口近傍に配設される第１の突出部３６と、ユニット部３１のケーシング３２を上方から視た左側又、は右側にユニット部３１の後方向に突出して設けられ耳甲介腔４内の奥に配設された第２の突出部３７を設ける様にすればよい。
【００３５】
上述ではユニット部３１から成るＶ型の電気音響変換装置３０をインナーイヤ型として左右の耳に装着させる場合を説明したが、これらのユニット部３１は図１０（ａ）に示す様にネックバンド型や、耳にクリップするクリッパーにユニット部３１を係止させたクリップ型、或いは、図１０（ｂ）に示す様なオーバーヘッド型等のＶ型の電気音響変換装置３０に適用可能である。
【００３６】
図１０（ａ）はユニット部を構成するケーシング３２のドーム状の後方膨出部の左(右)後方に第２の突出部３７を形成し、ケーシング３２の前面側に配設された放音面３３の左(右)前方下端に第１の突出部３６を形成しケーシング３２と１体にコード導出部３４を放音面３３のＸ軸と直交する様に略Ｊ字状(又はＪ字状と鏡像関係)に形成し、コード導出部３４を略Ω状のネックバンド５０に結合させている。
【００３７】
図１０（ｂ）はユニット部を構成するケーシング３２のドーム状の後方膨出部の左(右)後方に第２の突出部３７を形成し、ケーシング３２の前面側に配設された放音面３３の左(右)前方下端に第１の突出部３６を形成しケーシング３２と一体にコード導出部３４を放音面３３のＸ軸方向にスプーン状部５１を延設し、コード導出部３４を略Ω状のネックバンド４８に結合させている放音面３３とスプーン状部５１の後方部は後方に膨出したケーシングと成されている。スプーン状部５１の先にはヘッドバンド５２が摺動可能な断面略  矩形状の摺動部５３がスプーン状部５１と一体形成されている。
【００３８】
上述のネックバンド型やオーバーヘッド型等のＶ型の電気音響変換装置３０に依ればネックバンド５０やヘッドバンド５２によってＶ型の電気音響変換装置３０を耳甲介腔４に押し込む様な押圧力が働きＶ型の電気音響変換装置３０をより安定に耳内に保持可能となる。
【図面の簡単な説明】
【００３９】
【図１】本発明のＶ型電気音響変換装置の１形態例を示す正面、左側面、平面図である。
【図２】本発明のＶ型電気音響変換装置の耳への装着方法を説明するための１形態例を示す耳の一部断面図及び斜視図である。
【図３】本発明のＶ型の電気音響変換装置１形態例を示す耳の正面図及び耳の要部断面図である。
【図４】本発明のＶ型電気音響変換装置の１実施例を示す正面及び左側面図である。
【図５】本発明のＶ型電気音響変換装置の１実施例を示す右側面及び背面図である。
【図６】本発明のＶ型電気音響変換装置の１実施例を示す平面及び底面図である。
【図７】本発明のＶ型電気音響変換装置の１実施例を示す左上側４５度方向正面及び右上側４５度方向正面図である。
【図８】本発明のＶ型電気音響変換装置の１実施例を示すは左下側４５度方向背面及び右下側４５度方向背面図である。
【図９】本発明のＶ型電気音響変換装置の１実施例を示す耳の説明図及び電気音響変換装置を耳１内に挿着させた場合の断面矢視図である。
【図１０】本発明のＶ型電気音響変換装置の１実施例を示すオーバーヘッド型及びネックバンド型の正面図である。
【図１１】従来の電気音響変換装置の１実施例を示す背面面図である。
【図１２】従来の電気音響変換装置の１実施例を示す耳の正面図及び耳の要部断面図である。
【図１３】従来の電気音響変換装置の１実施例を示す耳の正面図である。
【図１４】従来の電気音響変換装置の１実施例を示す耳への装着方法を説明するための耳の模式的断面図及び斜視図である。
【図１５】従来の電気音響変換装置の１実施例を示すネックバンド型の正面図である。
【符号の説明】
【００４０】
１    耳
２    耳甲介
１ａ  耳輪
６    耳珠
７    対珠
８    珠間切痕
９    耳輪脚
３０  電気音響変換装置
３１  ユニット部
３２  ケーシング
３４  コード導出部
３６  第１の突出部
３７  第２の突出部
４０  スカート状部
４７，４８  内壁部
【図１】
2005073144.tif 000003
【図２】
2005073144.tif 000004
【図３】
2005073144.tif 000005
【図９】
2005073144.tif 000006
【図１０】
2005073144.tif 000007
【図１１】
2005073144.tif 000008
【図１２】
2005073144.tif 000009
【図１３】
2005073144.tif 000010
【図１４】
2005073144.tif 000011
【図１５】
2005073144.tif 000012
【図４】
2005073144.tif 000013
【図５】
2005073144.tif 000014
【図６】
2005073144.tif 000015
【図７】
2005073144.tif 000016
【図８】
2005073144.tif 000017